(57)【要約】      （修正有）【課題】簡易な作業で電子機器を接続して使用し得る電子機器一体型ラックを実現する。【解決手段】内蔵電子機器３を有するとともに外部電子機器２０を収納するようになされた電子機器一体型ラックにおいて、外部電子機器を収納する収納部５と、外部電子機器を内蔵電子機器に接続するためのコネクタを有し当該内蔵電子機器との間をケーブルで接続された接続手段とを設けたことにより、外部電子機器を内蔵電子機器に接続する際、接続手段を収納部から引き出して一括して接続作業を行うことができる。【選択図】図１
2006351783.tif 000002
【特許請求の範囲】
【請求項１】
内蔵電子機器を有するとともに、外部電子機器を収納するようになされた電子機器一体型ラックにおいて、
上記外部電子機器を収納する収納部と、
上記外部電子機器を上記内蔵電子機器に接続するためのコネクタを有し、当該内蔵電子機器との間をケーブルで接続された接続手段と
を具えることを特徴とする電子機器一体型ラック。
【請求項２】
上記接続手段は、当該接続手段と上記外部電子機器とを接続するケーブルを収納する収納部を有する
ことを特徴とする請求項１に記載の電子機器一体型ラック。
【請求項３】
上記接続手段は、上記外部電子機器に対する電源供給を行う
ことを特徴とする請求項１に記載の電子機器一体型ラック。
【請求項４】
上記接続手段は、上記外部電子機器と内蔵電子機器の間で信号変換を行う信号変換手段を具える
ことを特徴とする請求項１に記載の電子機器一体型ラック。
【発明の詳細な説明】
【技術分野】
【０００１】
本発明は、電子機器を内蔵するとともに他の電子機器を収納し得るようになされた電子機器一体型ラックに適用して好適なものである。
【背景技術】
【０００２】
従来、ディスプレイ装置やＡＶ（Audio Visual）機器等の電子機器を載置や収納（以下、単に搭載と呼ぶ）するためのラックにおいて、アンプ等の電子機器を内蔵して一体化したものがあった（例えば、特許文献１参照）。
【０００３】
かかる電子機器一体型ラックは、搭載する電子機器とラック内蔵の電子機器とを電気的に接続して使用するようになされている。
【特許文献１】特開平２−２４６４００号公報
【発明の開示】
【発明が解決しようとする課題】
【０００４】
ここで、様々な電子機器を搭載して使用できるようにするためには、ラック内蔵の電子機器と搭載する電子機器とは一般的な接続ケーブルを用いて結線するように構成する必要がある。
【０００５】
このような電子機器一体型ラックに電子機器を搭載して使用するためには、ユーザはまず当該電子機器一体型ラックを移動してその背面側に作業スペースを確保した後、当該背面側の作業スペースに移ってラック内蔵の電子機器と搭載する電子機器とを接続ケーブルで結線する必要があり、作業が繁雑であるという問題があった。
【０００６】
また、複数の機器を電子機器一体型ラックに搭載して使用する場合、大量の接続ケーブルが必要となり、これらが電子機器一体型ラックの背面側で混然となり、使い勝手が悪いという問題があった。
【０００７】
本発明は以上の点を考慮してなされたもので、簡易な作業で電子機器を接続して使用し得る電子機器一体型ラックを提案しようとするものである。
【課題を解決するための手段】
【０００８】
かかる課題を解決するため本発明においては、内蔵電子機器を有するとともに外部電子機器を収納するようになされた電子機器一体型ラックにおいて、外部電子機器を収納する収納部と、外部電子機器を内蔵電子機器に接続するためのコネクタを有し当該内蔵電子機器との間をケーブルで接続された接続手段とを設けた。
【０００９】
外部電子機器を内蔵電子機器に接続する際、接続手段を収納部から引き出して一括して接続作業を行うことができる。
【発明の効果】
【００１０】
本発明によれば、外部電子機器を収納する収納部と、外部電子機器を内蔵電子機器に接続するためのコネクタを有し当該内蔵電子機器との間をケーブルで接続された接続手段とを電子機器一体型ラックに設けたことにより、外部電子機器を内蔵電子機器に接続する際、接続手段を収納部から引き出し一括して接続作業を行うことができ、かくして簡易な作業で電子機器を接続して使用し得る電子機器一体型ラックを実現することができる。
【発明を実施するための最良の形態】
【００１１】
以下図面について、本発明の一実施の形態を詳述する。
【００１２】
（１）電子機器一体型ラックの全体構成
図１において、１は全体として本発明による電子機器一体型ラックを示し、箱形の筐体２の内部左側に、入出力セレクタ機能及びアンプ機能を有するＡＶアンプ部３が内蔵されて一体化されている。そして、筐体２の前面にはＡＶアンプ部３の操作部４が設けられており、当該ＡＶアンプ部３の再生音量や入出力選択等の各種操作を行い得るようになされている。
【００１３】
筐体２の内部には、ビデオテープレコーダやチューナ等の外部電子機器２０を収納するための２段の収納部５（上段収納部５Ａ及び下段収納部５Ｂ）が設けられている。また、筐体２の天面６は、ディスプレイ装置（図示せず）等を載置し得るようになされているともに、当該天面６の左奥角部には、載置したディスプレイ装置をＡＶアンプ部３に接続するためのコネクタや電源コンセントを有するディスプレイ接続部７が設けられている。
【００１４】
かかる構成に加えて、図２に示すように、各収納部５の内部には本発明の特徴である機器接続箱８がそれぞれ設けられている。機器接続箱８は、集中ケーブル９を介してＡＶアンプ部３に接続されている。
【００１５】
図３に示すように機器接続箱８は、上下に分離可能になされた筐体１０（上側筐体１０Ａ及び下側筐体１０Ｂ）の内側にケーブル接続部１１を内蔵している。このケーブル接続部１１は、ＡＶアンプ部３からの集中ケーブル９を接続するための集中コネクタ１１Ａと、収納部５に収納された外部電子機器２０からの各種の接続ケーブル２１（オーディオケーブル、映像ケーブル、光オーディオケーブル及び電源ケーブル）を接続するための機器側コネクタ１２を有している。また筐体９の内部には、ケーブル接続部１１に接続された接続ケーブル２１をまとめて収納し得るようになされたケーブル収納部１３が形成されている。
【００１６】
（２）電子機器一体型ラックの回路構成
次に、電子機器一体型ラック１の回路構成を図４を用いて説明する。ＡＶアンプ３は、制御部１５、操作部４、信号処理部１６、電源部１７及び入出力部１８を有している。
【００１７】
制御部１５は、操作部４を介して入力されたユーザの操作に応じて、電源部１７によるＡＶアンプ３の各部への電源供給、入出力部１８を介する各種入出力信号の経路変更（いわゆるセレクタ機能）、信号処理部１６による各種信号処理等、ＡＶアンプ３の各種機能を制御する。
【００１８】
入出力部１８は、ディスプレイ装置に供給する映像及び音声信号並びに交流電源をディスプレイ接続部７に供給する。これに加えて入出力部１８は、信号処理部１６から機器接続箱８に入出力される各種信号、電源部１７からケーブル接続部１１の分離変換部１９に供給される直流電源、及びケーブル接続部１１に接続される外部電子機器２０に供給される交流電源を、集中ケーブル９で一括して送受するようになされている。
【００１９】
一方ケーブル接続部１１は、集中ケーブル９を接続するための集中コネクタ１１Ａに対し、分離変換部１９を介して機器側コネクタ１２（映像入出力コネクタ１２Ａ、音声入出力コネクタ１２Ｂ、光コネクタ１２Ｃ及び電源コネクタ１２Ｄ）が接続されている。
【００２０】
分離変換部１９は、集中ケーブル９を介して供給される映像信号、音声信号、直流電源及び交流電源を分離する。そして分離変換部１９は、分離した映像信号を映像入出力コネクタ１２Ａに、音声信号を音声入出力コネクタ１２Ｂに、交流電源を電源コネクタ１２Ｄにそれぞれ供給する。また分離変換部１９は、映像入出力コネクタ１２Ａを介して入力された映像信号及び音声入出力コネクタ１２Ｂを介して入力された音声信号を、集中ケーブル９を介してＡＶアンプ３に供給する。
【００２１】
かかる構成に加えて分離変換部１９は、光オーディオ信号をIEC985形式の電気信号レベルに変換する機能を有している。すなわち分離変換部１９は、ＡＶアンプ３から集中ケーブル９を介して送られる直流電源を用い、外部電子機器２０より入力された光オーディオ信号を５００[mV] P-P の信号振幅に変換し、集中ケーブル９を介してＡＶアンプ３に供給する。
【００２２】
（３）外部電子機器の収納作業
次に、電子機器一体型ラック１に対する外部電子機器２０の収納作業手順を説明する。最初にユーザは、収納先の収納部５に設けられている機器接続箱８を、当該収納部５の前面側（図２に示す下方側）に引き出した後、図５に示すように上側筐体１０Ａを下側筐体１０Ｂから分離し、内蔵されているケーブル接続部１１を露出させる。なお、この時点では外部電子機器２０を収納部５に収納しないでおく。
【００２３】
次にユーザは、外部電子機器２０からの各種接続ケーブル２１をケーブル接続部１１のコネクタ１２に接続する。ここでケーブル接続部１１は、その両側面に設けられた回動軸１３を介して下側筐体１０Ｂに回動自在に取り付けられており、図６に示すようにコネクタ１２の側を上方に回転させることで、接続ケーブル２１を当該コネクタ１２に対して容易に接続し得るようになされている。
【００２４】
そしてユーザは、全ての接続ケーブル２１をコネクタ１２に接続した後、図７に示すように、接続ケーブル２１を筐体１０の一端に開口されたケーブル孔１０Ｃに挿通させた状態で上側筐体１０Ａと下側筐体１０Ｂとを閉じる。このとき、接続ケーブル２１の余剰分をケーブル収納部１３にまとめて収納することにより、収納部５の内部を簡潔に整頓することができる。
【００２５】
このようにして接続ケーブル２１の接続作業が収納した後、ユーザは外部電子機器２０及び機器接続箱８を収納部５の内部に収納し、かくして外部電子機器２０の収納作業が終了する。
【００２６】
（４）動作及び効果
以上の構成において電子機器一体型ラック１は、搭載対象の外部電子機器２０との間の各種接続ケーブル２１を、各収納部５に個別に設けられた機器接続箱８に一括して接続するようにした。そして、電子機器一体型ラック１に内蔵されたＡＶアンプ３と機器接続箱８の間を集中ケーブル９を介して各種信号や電源を統括して送受するようにし、当該機器接続箱８を収納部５の内部から電子機器一体型ラック１の前面側に引き出し得るようにした。
【００２７】
これにより、外部電子機器２０についての接続作業を電子機器一体型ラック１の前面側のみで完了することができ、従来に比して接続作業を格段に簡易化することができる。
【００２８】
また、接続ケーブル２１を機器接続箱８内のケーブル収納部１３に収納し得るようにしたことにより、接続ケーブル２１の余剰分が収納部５の内部でからみ合うことを防止し、当該収納部５の内部を簡潔に整頓することができる。
【００２９】
以上の構成によれば、搭載対象の外部電子機器２０を集中ケーブル９で接続された機器接続箱８に一括して接続するようにしたことにより、外部電子機器２０の接続作業を格段に簡易化することができる。
【００３０】
（５）他の実施の形態
なお上述の実施の形態においては、内蔵電子機器として、入出力セレクタ機能及びアンプ機能を有するＡＶアンプ部３を電子機器一体型ラック１に内蔵するようにしたが、本発明はこれに限らず、入出力セレクタ機能のみを有するＡＶセレクタや、アンプ機能のみを有するパワーアンプ、あるいはチューナ等、種々の電子機器を内蔵電子機器として、電子機器一体型ラック１に内蔵するようにしてもよい。
【００３１】
また上述の実施の形態においては、機器接続箱８を介して映像信号、音声信号、光オーディオ信号、直流電源及び交流電源を送受するようにしたが、本発明はこれに限らず、これらの一部のみを送受するようにしたり、さらにはディジタル映像信号等の他の種々の信号を送受するようにしてもよい。
【図面の簡単な説明】
【００３２】
【図１】電子機器一体型ラックの全体構成を示す斜視図である。
【図２】電子機器一体型ラックの内部構成を示す略線図である。
【図３】機器接続箱の構成を示す斜視図である。
【図４】電子機器一体型ラックの回路構成を示すブロック図である。
【図５】機器接続箱の内部構造を示す略線図である。
【図６】ケーブルの接続状態を示す略線図である。
【図７】ケーブルの接続完了状態を示す略線図である。
【符号の説明】
【００３３】
１……電子機器一体型ラック、２……筐体、３……ＡＶアンプ部、４……操作部４、５……収納部、６……天面、７……ディスプレイ接続部、８……機器接続箱、９……集中ケーブル、１０……筐体、１１……ケーブル接続部、１１……集中コネクタ、１２……機器側コネクタ、１３……ケーブル収納部、１５……制御部、１６……信号処理部、１７……電源部、１８……入出力部、１９……光検出器、２０……外部電子機器、２１……接続ケーブル。
【図１】
2006351783.tif 000003
【図２】
2006351783.tif 000004
【図３】
2006351783.tif 000005
【図４】
2006351783.tif 000006
【図５】
2006351783.tif 000007
【図６】
2006351783.tif 000008
【図７】
2006351783.tif 000009